(57)【特許請求の範囲】
【請求項１】
表示装置あるいはオーディオ装置が取り付けられ、装置の上下方向あるいは左右方向の向きを変更するための回転スタンドであって、
球面凹部と該球面凹部に形成された第１突起とを有するベースと、前記球面凹部と対応する形状の取付部を有し前記装置が取り付けられる連結板と、該連結板の前記取付部と対応する形状を有し連結板を前記ベースとの間に挟持して連結板を上下方向及び左右方向に回転自在に保持する挟持板とを備え、前記第１突起の側縁を前記連結板の取付部に穿設された長孔の内縁部に当接させることにより上下方向及び左右方向の回転角度を規制するようにし、
前記第１突起に円孔を設け、
前記挟持板を前記連結板の取付部に向かって付勢するスプリングを設け、
前記スプリングの下端には折曲部が形成され、
前記折曲部を前記第１突起の円孔に挿入することで前記スプリングの下端を前記ベースに固定することを特徴とする回転スタンド。
【請求項２】
前記長孔が二つの平行な長辺を持ち、該長辺の内縁部を前記第１突起の側縁に当接させることにより左右方向の回転角度を規制する一方、前記長辺以外の内縁部を前記第１突起の側縁に当接させることにより上下方向の回転角度を規制するようにした請求項１に記載の回転スタンド。
【請求項３】
前記第１突起が長軸側の両端に略９０°の角部を持ち、短軸側の両端を円弧状に形成するとともに、前記第１突起の短軸側の長さを前記長孔の二つの長辺の間隔と略等しく設定した請求項２に記載の回転スタンド。
【請求項４】
前記ベースの球面凹部に矩形状の第２突起を形成する一方、前記挟持板に略矩形状の開口部を穿設し、該開口部の対向する２辺を形成する前記挟持板の内縁部を下方に向かって折曲し、前記第２突起に当接させることにより前記挟持板を前記ベースに対し保持するようにした請求項１乃至３のいずれか１項に記載の回転スタンド。
【請求項５】
前記第１及び第２突起に貫通孔を穿設し、前記連結板と挟持板とスプリングとを前記ベースに一体的に保持するネジを前記貫通孔に遊挿してナットと螺合するようにした請求項４に記載の回転スタンド。
【発明の詳細な説明】
【０００１】
【発明の属する技術分野】
本発明は、モニタ、テレビ等の表示装置やオーディオ装置に取り付けられ、設置場所に応じて装置本体の向きを適宜変更することにより装置の機能性を向上させた回転スタンドに関する。
【０００２】
【従来の技術】
従来の回転スタンドは、ベースに球面凹部を形成し、この球面凹部と対応する形状の凹部を有する連結板を介して表示装置やオーディオ装置等の装置本体を取り付けている。また、ベースの中央部には円筒状ボスが一体的に形成されており、円筒状ボスは、装置本体が取り付けられる連結板の中央部に穿設された長孔に遊挿され、挟持板をネジ止めされたスプリングにより連結板に向かって付勢することにより装置本体は回転あるいは揺動自在に支承されている。
【０００３】
【発明が解決しようとする課題】
しかしながら、上記構成の従来の回転スタンドにあっては、装置本体を回転あるいは揺動させると、スプリングにより付勢されている挟持板が連結板とともに回転し、挟持板の中心孔を貫通して挟持板を保持しているベースの円筒状ボスが挟持板の中心孔の端面により徐々に削り取られたり、スプリングとネジとの間に異音が発生することもあり、使用頻度が増大するとスプリングが回転してネジが緩んでしまう虞があった。
【０００４】
また、ベースの円筒状ボスに螺合されたネジは、スプリングによりボスから抜け出る方向に常時付勢されており、回転スタンドの揺動あるいは回転を繰り返し行ったり油分の多い環境で使用すると、ボスにクラックが発生したり、場合によっては破壊される虞もあった。
【０００５】
本発明は、従来技術の有するこのような問題点に鑑みてなされたものであり、表示装置やオーディオ装置の向きを適宜変更することにより装置の機能性を向上させるとともに、挟持板を付勢しているスプリングとネジとの間に異音が発生したり、使用頻度が増大してもスプリングを押圧しているネジが緩んだりすることがないばかりか、ベースのボスにクラックが発生したり破壊される虞のない信頼性の高い簡素な構成の回転スタンドを提供することを目的としている。
【０００６】
【課題を解決するための手段】
上記目的を達成するために、本発明のうちで請求項１に記載の発明は、表示装置あるいはオーディオ装置が取り付けられ、装置の上下方向あるいは左右方向の向きを変更するための回転スタンドであって、球面凹部と該球面凹部に形成された第１突起とを有するベースと、前記球面凹部と対応する形状の取付部を有し前記装置が取り付けられる連結板と、該連結板の前記取付部と対応する形状を有し連結板を前記ベースとの間に挟持して連結板を上下方向及び左右方向に回転自在に保持する挟持板とを備え、前記第１突起の側縁を前記連結板の取付部に穿設された長孔の内縁部に当接させることにより上下方向及び左右方向の回転角度を規制するようにし、前記第１突起に円孔を設け、前記挟持板を前記連結板の取付部に向かって付勢するスプリングを設け、前記スプリングの下端には折曲部が形成され、前記折曲部を前記第１突起の円孔に挿入することで前記スプリングの下端を前記ベースに固定することを特徴とする。
【０００７】
また、請求項２に記載の発明は、前記長孔が二つの平行な長辺を持ち、該長辺の内縁部を前記第１突起の側縁に当接させることにより左右方向の回転角度を規制する一方、前記長辺以外の内縁部を前記第１突起の側縁に当接させることにより上下方向の回転角度を規制するようにしたことを特徴とする。
【０００８】
さらに、請求項３に記載の発明は、前記第１突起が長軸側の両端に略９０°の角部を持ち、短軸側の両端を円弧状に形成するとともに、前記第１突起の短軸側の長さを前記長孔の二つの長辺の間隔と略等しく設定したことを特徴とする。
【０００９】
また、請求項４に記載の発明は、前記ベースの球面凹部に矩形状の第２突起を形成する一方、前記挟持板に略矩形状の開口部を穿設し、該開口部の対向する２辺を形成する前記挟持板の内縁部を下方に向かって折曲し、前記第２突起に当接させることにより前記挟持板を前記ベースに対し保持するようにしたことを特徴とする。
【００１１】
また、請求項５に記載の発明は、前記第１及び第２突起に貫通孔を穿設し、前記連結板と挟持板とスプリングとを前記ベースに一体的に保持するネジを前記貫通孔に遊挿してナットと螺合するようにしたことを特徴とする。
【００１２】
【発明の実施の形態】
以下、本発明の実施の形態について、図面を参照しながら説明する。
図１は、本発明にかかる回転スタンドＳを備えたパーソナルＭＤシステムＭを示している。
【００１３】
このシステムＭは、本発明にかかる回転スタンドＳに取り付けられていることから、図２（ａ）に示されるように上方向に１５°、下方向に５°の角度範囲で回転（あるいは揺動）可能で、図２（ｂ）に示されるように左右にそれぞれ４５°の角度範囲で回転可能に構成されている。
【００１４】
図３に示されるように、回転スタンドＳは、ベース２と、ベース２の上に取り付けられる連結板４と、連結板４の上に取り付けられベース２とともに連結板４を挟持する挟持板６と、スプリング８及びワッシャ１０を介して連結板４及び挟持板６をベース２に一体的に取り付けるためのネジ１２及びナット１４とを備えている。なお、ベース２と連結板４は例えばプラスチックにより製作され、挟持板６は例えばプラスチックや金属等により製作される。
【００１５】
図４に示されるように、ベース２の中央部には円形リム１６が形成されており、円形リム１６の内部には球面凹部１８が形成されている。円形リム１６の中央部（球面凹部１８の最底部）には、長軸側の両端２０ａに略９０°の角部を持ち短軸側の両端２０ｂが円弧状に形成された略菱形の第１突起２０と、第１突起２０の上に設けられた矩形状の第２突起２２と、第２突起２２の上に設けられた円筒状の第３突起２４とが一体的に形成されている。また、スプリング８の下端にはスプリング８の圧縮方向に折曲部８ａが形成され、この折曲部８ａは、第１突起２０の長軸側の角部２０ａの近傍に穿設された円孔２０ｃに挿入されている。
【００１６】
ベース２の上に取り付けられる連結板４の中央部近傍には、図３及び図５に示されるように、ベース２の球面凹部１８に対応して摺り合わせる下面が球面凸部となった取付部２６が形成されており、この取付部２６の上面には球面凸部に対応する球面凹部２８が形成されている。ここで、取付部２６の下面の球面凸部の曲率半径は、ベース２の球面凹部１８の曲率半径より小さい球面凸部となっている。取付部２６の中央部には矩形状の長孔２６ａが穿設されており、長孔２６ａの短辺の長さはベース２に形成された第１突起２０の短軸の長さに略等しく設定されている。
【００１７】
また、図６及び図７に示されるように、挟持板６にはベース２及び連結板４の取付部２６と同様、球面凹部３０が形成されており、その下面は連結板４の取付部２６の球面凹部２８と対応する球面凸部となっている。挟持板６の中央部には略矩形状の開口部６ａが穿設されており、開口部６ａの４辺のうち対向する２辺を形成する挟持板６の内縁部は下方に向かって折曲された係合部３２を構成している。二つの係合部３２の内面の間隔は、ベース２の第２突起２２の幅（あるいは長さ）と略等しく設定されており、二つの係合部３２で第２突起２２を挟み込むことにより挟持板６はベース２との間に連結板４の取付部２６を挟持した状態でベース２に保持される。
【００１８】
また、連結板４の取付部２６は、ベース２と挟持板６とで挟持されるとともに球面凹部１８上で摺り合わせられながら、回転（あるいは揺動）自在に保持されることから、その肉厚は、係合部３２の下端がベース２の第１突起２０の上面に当接しない厚さに設定されている。
【００１９】
さらに、図８に示されるように、挟持板６の上面は、第１突起２０の円孔２０ｃに下端が挿入されたスプリング８の螺旋状巻回部の下端に当接しており、スプリング８の上端がネジ止めされたワッシャ１０に係止することにより挟持板６は常時下方に（連結板４の取付部２６に向かって）付勢されている。
【００２０】
なお、図９に示されるように、ベース２の下面には、その上面に突設された円筒状第３突起２４と同心状に円筒状第４突起３４が形成されており、第３突起２４及び第４突起３４に穿設された貫通孔３６に遊挿されたネジ１２は、第４突起３４の下端部に形成された六角形のナット収容孔３８に収容されたナット１４と螺合している。
【００２１】
上記構成の本発明にかかる回転スタンドＳにおいて、連結板４の取付部２６は、ベース２の球面凹部１８と挟持板６とで挟持されるとともに、スプリング８の付勢力により挟持板６を介してベース２に向かって常時押圧されている。
【００２２】
また、図５に示されるように、連結板４には、パーソナルＭＤシステムＭの本体を保持するための保持部４０と、システム本体の後部が当接するストッパ４２と、保持部４０に保持されたシステム本体をロックするロック部４４とが形成されており、システム本体は連結板４に着脱自在に取り付けられる。
【００２３】
さらに、連結板４に穿設された長孔２６ａは前後方向に細長く形成されており、図５に示されるように、ベース２の球面凹部１８に形成された第１突起２０はこの長孔２６ａに収容されている。したがって、長孔２６ａの内縁部がベース２の第１突起２０の側縁と常時対向しており、システム本体が取り付けられる連結板４の揺動あるいは回転動作は、第１突起２０により規制される。
【００２４】
さらに詳述すると、図２（ａ）あるいは図２（ｂ）に示されるように、システム本体の上下方向あるいは左右方向の向きを調整したい場合には、システム本体に上下方向あるいは左右方向の力を加えると、システム本体が取り付けられた連結板４の取付部２６がベース２の球面凹部１８と挟持板６との間に挟持された状態で摺動するので、所望の位置でシステム本体から手を離すと、システム本体の上下方向あるいは左右方向の向きはその位置で保持される。
【００２５】
また、システム本体の上下方向の角度は、第１突起２０の側縁の一部が連結板４の取付部２６の長孔２６ａの短辺と当接することにより規制される。
【００２６】
一方、システム本体の左右方向の角度は、長孔２６ａの短辺の長さが第１突起２０の短軸の長さに略等しく設定されており、第１突起２０の長軸の長さより短く設定されていることから、システム本体を左右方向にある程度（例えば、正面より４５°）回転させると、図１０に示されるように、第１突起２０の側縁の一部が連結板４の取付部２６の長孔２６ａの長辺と当接することにより規制される。
【００２７】
なお、上記実施の形態において、連結板４に矩形状の長孔２６ａを穿設するようにしたが、対向する短辺は必ずしも直線状に形成する必要はなく、円弧状に形成してもよい。すなわち、長孔２６ａは互いに平行な二つの長辺を持つ形状であれば、長辺以外の部分は直線でも曲線であっても特に問題とはならない。
【００２８】
【発明の効果】
本発明は、以上説明したように構成されているので、以下に記載されるような効果を奏する。
本発明のうちで、請求項１に記載の発明によれば、装置が取り付けられる連結板をベースと挟持板との間に挟持した状態で上下方向及び左右方向に回転自在に保持するとともに、ベースに形成された第１突起の側縁を連結板の取付部に穿設された長孔の内縁部に当接させることにより上下方向及び左右方向の回転角度を規制するようにしたので、所定の角度範囲で装置の向きを適宜変更することができ、装置の機能性を向上させることができる。また、挟持板を連結板の取付部に向かって付勢するスプリングを設け、このスプリングの下端をベースに固定したので、スプリングが回転することがなく、スプリングとネジとの間に異音が発生したり、使用頻度が増大してもスプリングが緩んだりすることがない。
【００２９】
また、請求項２に記載の発明によれば、長孔の二つの平行な長辺の内縁部を第１突起の側縁に当接させることにより左右方向の回転角度を規制する一方、長辺以外の内縁部を第１突起の側縁に当接させることにより上下方向の回転角度を規制するようにしたので、簡素な構成で装置の機能性を向上させることができる。
【００３０】
さらに、請求項３に記載の発明によれば、第１突起が長軸側の両端に略９０°の角部を持ち、短軸側の両端を円弧状に形成するとともに、短軸側の長さを長孔の二つの長辺の間隔と略等しく設定したので、ベースに所定の形状の第１突起を設けるだけの簡素な構成で、装置の機能性を向上させることができる。
【００３１】
また、請求項４に記載の発明によれば、挟持板に穿設された略矩形状の開口部の対向する２辺を形成する挟持板の内縁部を下方に向かって折曲し、ベースの球面凹部に形成された矩形状の第２突起に当接させることにより挟持板をベースに対し保持するようにしたので、装置本体を回転あるいは揺動させても連結板以外の部材が回転することはなく、第１及び第２突起が一体的に形成されたベースのボスにクラックが発生したり破壊される虞のない信頼性の高い回転スタンドを提供することができる。
【００３３】
また、請求項５に記載の発明によれば、第１及び第２突起に貫通孔を穿設し、連結板と挟持板とスプリングとをベースに一体的に保持するネジを貫通孔に遊挿してナットと螺合するようにしたので、回転スタンドの揺動あるいは回転を繰り返し行ったり、油分の多い環境で使用しても、ボスにクラックが発生したり破壊されることがない。
【図面の簡単な説明】
【図１】  本発明にかかる回転スタンドを備えたパーソナルＭＤシステムの斜視図である。
【図２】  図１のパーソナルＭＤシステムの回転範囲を示す図であり、（ａ）は側面図を、（ｂ）は平面図を示している。
【図３】  本発明にかかる回転スタンドの分解斜視図である。
【図４】  図３の回転スタンドに設けられたベースの要部を示す部分斜視図である。
【図５】  ベースの要部と連結板の取付部との関係を示す平面図である。
【図６】  ベースの要部と挟持板との関係を示す部分断面斜視図である。
【図７】  図６の挟持板を下から見た斜視図である。
【図８】  ベースの要部と他の部材との関係を示す部分断面斜視図である。
【図９】  ベースを下から見た部分斜視図である。
【図１０】  ベースの要部と連結板の取付部との関係を示す平面図であり、左右の回転規制を特に示している。
【符号の説明】
２  ベース、  ４  連結板、  ６  挟持板、  ６ａ  挟持板の開口部、
８  スプリング、  １０  ワッシャ、  １２  ネジ、  １４  ナット、
１６  円形リム、  １８，２８，３０  球面凹部、  ２０  第１突起、
２０ａ  長軸側端部、  ２０ｂ  短軸側端部、
２０ｃ  スプリング端部挿入孔、  ２２  第２突起、  ２４  第３突起、
２６  取付部、  ２６ａ  長孔、  ３２  係合部、  ３４  第４突起、
３６  貫通孔、  ３８  ナット収容孔、  ４０  システム本体の保持部、
４２  ストッパ、  ４４  ロック部、  Ｍ  パーソナルＭＤシステム、
Ｓ  回転スタンド
【図１】
0004883854.tif 000002
【図２】
0004883854.tif 000003
【図３】
0004883854.tif 000004
【図４】
0004883854.tif 000005
【図５】
0004883854.tif 000006
【図６】
0004883854.tif 000007
【図７】
0004883854.tif 000008
【図８】
0004883854.tif 000009
【図９】
0004883854.tif 000010
【図１０】
0004883854.tif 000011